(57)【要約】【課題】通常の画像の再生に用いる拡大／縮小の操作でＭＰＦファイル内の個別の画像の種別に応じた拡大／縮小の操作を行うユーザインタフェイスを提供することで、操作性を向上させる仕組みを提供する。【解決手段】画像表示装置は、表示部に表示された画像の拡大／縮小の指示をユーザ操作により受け付けるための入力部と、表示部に表示される画像の表示形式を切り替える制御手段とを備え、単一のファイル内に複数の画像データを関連付けて保存する第１の画像ファイル、及び第１の画像ファイル以外の第２の画像ファイルを個別に表示部に表示する。制御手段は、表示部に一画面に一枚の画像が表示されている状態で入力部により拡大表示の指示を受け付けたとき（Ｓ２０２拡大、Ｓ２０４Ｙｅｓ）、第１の画像ファイルに保存された複数の画像データの種別に応じて異なる表示形式へ切り替え、切り替え後に、更に入力部により拡大表示の指示を受け付けたとき、第１の画像ファイルに保存された複数の画像データを個別に閲覧するための表示形式へ切り替える。【選択図】図５
2015089066.tif 000002
【特許請求の範囲】
【請求項１】
表示部に表示された画像の拡大／縮小の指示をユーザ操作により受け付けるための入力部を備え、単一のファイル内に複数の画像データを関連付けて保存する第１の画像ファイル、及び前記第１の画像ファイル以外の第２の画像ファイルを個別に前記表示部に表示する画像表示装置であって、
前記表示部に表示される画像の表示形式を切り替える制御手段を備え、
前記制御手段は、前記表示部に一画面に一枚の画像が表示されている状態で前記入力部により拡大表示の指示を受け付けたとき、前記第１の画像ファイルに保存された複数の画像データの種別に応じて異なる表示形式へ切り替え、前記切り替え後に、前記入力部により拡大表示の指示を受け付けたとき、前記第１の画像ファイルに保存された複数の画像データを個別に閲覧するための表示形式へ切り替えることを特徴とする画像表示装置。
【請求項２】
前記表示部に一画面に一枚の画像が表示されている状態で前記入力部により拡大表示の指示を受け付けたとき、前記表示部に表示されている画像が前記第１の画像ファイルかを判断する判断手段を備え、
前記制御手段は、前記判断手段が前記第１の画像ファイルと判断したとき、前記第１の画像ファイルに保存された複数の画像データの種別に応じて異なる表示形式へ切り替えることを特徴とする請求項１に記載の画像表示装置。
【請求項３】
前記第１の画像ファイルに保存された画像データがパノラマ画像の場合、前記制御手段は、前記第１の画像ファイルに保存された複数の画像データを個別に閲覧するための表示形式へ切り替える際に前記表示部に表示する画像を、前記切り替え前に前記表示部に表示されていた部分の領域を最も多く含む画像を初期画面として選択することを特徴とする請求項１又は２に記載の画像表示装置。
【請求項４】
前記制御手段は、前記第１の画像ファイルの画像データを合成して一つの表示画像を生成しない場合、前記表示部に一画面に一枚の画像が表示されている状態で前記入力部により拡大表示の指示を受け付けたとき、前記第１の画像ファイルに保存された複数の画像データの種別に応じて異なる表示形式へ切り替えることなく、前記第１の画像ファイルに保存された複数の画像データを個別に閲覧するための表示形式へ切り替えることを特徴とする請求項１に記載の画像表示装置。
【請求項５】
前記表示部に一画面に一枚の画像が表示されている状態で前記入力部により拡大表示の指示を受け付けたとき、前記表示部に表示されている画像が前記第１の画像ファイルかを判断する判断手段を備え、
前記制御手段は、前記判断手段が前記第１の画像ファイルと判断したとき、前記第１の画像ファイルに保存された複数の画像データを個別に閲覧するための表示形式へ切り替えることを特徴とする請求項４に記載の画像表示装置。
【請求項６】
表示部に表示された画像の拡大／縮小の指示をユーザ操作により受け付けるための入力部を備え、単一のファイル内に複数の画像データを関連付けて保存する第１の画像ファイル、及び前記第１の画像ファイル以外の第２の画像ファイルを個別に前記表示部に表示する画像表示装置を制御する方法であって、
前記表示部に表示される画像の表示形式を切り替える制御ステップを備え、
前記制御ステップは、前記表示部に一画面に一枚の画像が表示されている状態で前記入力部により拡大表示の指示を受け付けたとき、前記第１の画像ファイルに保存された複数の画像データの種別に応じて異なる表示形式へ切り替え、前記切り替え後に、前記入力部により拡大表示の指示を受け付けたとき、前記第１の画像ファイルに保存された複数の画像データを個別に閲覧するための表示形式へ切り替えることを特徴とする画像表示装置の制御方法。
【請求項７】
表示部に表示された画像の拡大／縮小の指示をユーザ操作により受け付けるための入力部を備え、単一のファイル内に複数の画像データを関連付けて保存する第１の画像ファイル、及び前記第１の画像ファイル以外の第２の画像ファイルを個別に前記表示部に表示する画像表示装置を制御するプログラムであって、
前記表示部に表示される画像の表示形式を切り替える制御ステップをコンピュータに実行させるに際して、
前記制御ステップは、前記表示部に一画面に一枚の画像が表示されている状態で前記入力部により拡大表示の指示を受け付けたとき、前記第１の画像ファイルに保存された複数の画像データの種別に応じて異なる表示形式へ切り替え、前記切り替え後に、前記入力部により拡大表示の指示を受け付けたとき、前記第１の画像ファイルに保存された複数の画像データを個別に閲覧するための表示形式へ切り替えることを特徴とするプログラム。
【発明の詳細な説明】
【技術分野】
【０００１】
本発明は、単一のファイル内に複数の画像データを関連付けて保存する形式の画像ファイルとＪＰＥＧ形式等の通常の画像ファイルとの両方を表示部に表示する画像表示装置、その制御方法及びプログラムに関する。
【背景技術】
【０００２】
単一ファイル内に複数の画像データを保存し、その画像データからパノラマ画像、高ダイナミックレンジ画像を合成する、或いは連写撮影した画像をまとめる処理を行う形式の画像ファイル（ＭＰＦ（Multi Picture Format）ファイル）が知られている。
【０００３】
一方、パノラマ画像のような通常の撮影画像と異なるアスペクト比を持つ画像に対して、自動的に拡大表示を行い、コマ送り釦でスクロール表示を行う画像再生装置が提案されている（特許文献１）。
【先行技術文献】
【特許文献】
【０００４】
【特許文献１】特開２０００−１５２１６８号公報
【発明の概要】
【発明が解決しようとする課題】
【０００５】
しかし、上記特許文献１では、ＭＰＦファイルと通常の画像ファイルとが混在する場合に、通常の画像の再生に用いる拡大／縮小の操作でＭＰＦファイル内の個別の画像の種別に応じた拡大／縮小の操作を行うユーザインタフェイスについては開示されてない。このため、ＭＰＦファイルと通常の画像ファイルとが混在する場合には、操作性が低下するという問題がある。
【０００６】
そこで、本発明は、通常の画像の再生に用いる拡大／縮小の操作でＭＰＦファイル内の個別の画像の種別に応じた拡大／縮小の操作を行うユーザインタフェイスを提供することで、操作性を向上させる仕組みを提供することを目的とする。
【課題を解決するための手段】
【０００７】
上記目的を達成するために、本発明は、表示部に表示された画像の拡大／縮小の指示をユーザ操作により受け付けるための入力部を備え、単一のファイル内に複数の画像データを関連付けて保存する第１の画像ファイル、及び前記第１の画像ファイル以外の第２の画像ファイルを個別に前記表示部に表示する画像表示装置であって、前記表示部に表示される画像の表示形式を切り替える制御手段を備え、前記制御手段は、前記表示部に一画面に一枚の画像が表示されている状態で前記入力部により拡大表示の指示を受け付けたとき、前記第１の画像ファイルに保存された複数の画像データの種別に応じて異なる表示形式へ切り替え、前記切り替え後に、前記入力部により拡大表示の指示を受け付けたとき、前記第１の画像ファイルに保存された複数の画像データを個別に閲覧するための表示形式へ切り替えることを特徴とする。
【発明の効果】
【０００８】
本発明によれば、通常の画像の再生に用いる拡大／縮小の操作でＭＰＦファイル内の個別の画像の種別に応じた拡大／縮小の操作を行うユーザインタフェイスを提供することできるので、操作性を向上させることができる。
【図面の簡単な説明】
【０００９】
【図１】本発明の画像表示装置の実施形態の一例であるデジタルカメラの構成例を示すブロック図である。
【図２】ディスプレイに表示される画像表示の遷移例を示す図である。
【図３】ＭＰＦファイル内の個別の画像について、パノラマ画像を生成する処理を行った場合のディスプレイの表示例を示す図である。
【図４】ＭＰＦファイル内に連写撮影した画像が保存されている場合のディスプレイの表示例を示す図である。
【図５】ディスプレイの表示制御例を示すフローチャート図である。
【図６】図５のステップＳ２０７のＭＰＦ再生モードがパノラマ表示モードである場合の動作例を示すフローチャート図である。
【図７】ＭＰＦファイル内に保存されたパノラマ画像を生成するための画像例を示す図である。
【図８】図５のステップＳ２０７のＭＰＦ再生モードが連写画像表示モードである場合の動作例を示すフローチャート図である。
【図９】ＭＰＦファイル内に保存された連写撮影による画像例を示す図である。
【発明を実施するための形態】
【００１０】
以下、本発明の実施形態の一例を図面を参照して説明する。
【００１１】
図１は、本発明の画像表示装置の実施形態の一例であるデジタルカメラの構成例を示すブロック図である。
【００１２】
図１に示すように、本実施形態のデジタルカメラ１００は、バス１１１に対してＣＰＵ１０１、内部記憶装置１０２、メモリ１０３、表示制御部１０４、入力部１０５、ドライブ装置１０６、通信Ｉ／Ｆ１０７、および撮像部１０９が接続される。撮像部１０９は、光学部品やＣＣＤ等の撮像素子で構成される。バス１１１に接続される各ユニットは、バス１１１を介して互いにデータのやりとりを行うことができる。
【００１３】
内部記憶装置１０２は、ＣＰＵ１０１が動作するための各種プログラムや表示用ＵＩデータ、その他のデータが格納される。ＣＰＵ１０１は、たとえば内部記憶装置１０２に格納されるプログラムに従い、メモリ１０３をワークメモリとして用いて、このデジタルカメラ１００全体を制御する。
【００１４】
入力部１０５は、ユーザ操作を受け付け、ユーザ操作に応じた制御信号を生成して、ＣＰＵ１０１に供給するユーザインタフェイスである。入力部１０５は、ユーザ操作を受け付ける入力デバイスとして、たとえば、シャッタ釦や決定、拡大、縮小のための釦、またはタッチパネル等のポインティングデバイスを有する。
【００１５】
表示制御部１０４は、表示部の一例としてのディスプレイ１１０に対して画像を表示させるための表示信号を出力する。表示制御部１０４に対して、ＣＰＵ１０１がプログラムに従い生成した表示制御信号が供給される。表示制御部１０４は、この表示制御信号に基づき表示信号を生成してディスプレイ１１０に出力する。例えば、表示制御部１０４は、ＣＰＵ１０１が生成する表示制御信号に基づき、ＧＵＩ(Graphical User Interface)を構成するＧＵＩ画面をディスプレイ１１０に表示させる。
【００１６】
なお、入力部１０５としてタッチパネルを用いる場合、入力部１０５とディスプレイ１１０とを一体に構成することができる。例えば、タッチパネルを光の透過率がディスプレイ１１０の表示を妨げないように構成して、ディスプレイ１１０の表示面の上層に取り付ける。
【００１７】
そして、タッチパネルにおける入力座標と、ディスプレイ１１０上の表示座標とを対応付ける。これにより、ユーザがディスプレイ１１０上に表示された画面を直接的に操作可能なＧＵＩ画面を構成することができる。
【００１８】
ドライブ装置１０６は、メモリカード等の外部記憶媒体１０８が装着可能とされる。ドライブ装置１０６は、ＣＰＵ１０１の制御に基づき、装着された外部記憶媒体１０８からの画像データの読み出しや、外部記憶媒体１０８に対して撮像部１０９で生成されてメモリ１０３に保存された画像データの書き出しを行う。通信Ｉ／Ｆ１０７は、ＣＰＵ１０１の制御に基づき、プリンタやＴＶ等の外部出力装置１１２と接続し、通信を行う。
【００１９】
図２は、ディスプレイ１１０に表示される画像表示の遷移例を示す図である。図２（ａ）及び図２（ｂ）は、ＣＰＵ１０１が表示制御部１０４を制御してディスプレイ１１０に複数の画像を表示した場合の表示例である。
【００２０】
図２（ｃ）は、ＣＰＵ１０１が表示制御部１０４を制御してディスプレイ１１０に一枚の画像を表示した場合の表示例である。図２（ｄ）は、入力部１０５でのユーザ操作により図２（ｃ）で表示した画像の拡大表示指示が行われた場合に、ＣＰＵ１０１が表示制御部１０４を制御してディスプレイ１１０に拡大画像を表示した場合の表示例である。
【００２１】
この表示モードにおいて、ＣＰＵ１０１は、単一のファイル内に複数の画像データを関連付けて保存するＭＰＦファイル内の個別の画像について、パノラマ画像や連写撮影した画像等の種別が判断できるようにディスプレイ１１０に表示してユーザに通知する。ここで、ＭＰＦファイルは、本発明の第１の画像ファイルの一例に相当し、ＪＰＥＧ形式等の通常の画像ファイルは、本発明の第１の画像ファイル以外の第２の画像ファイルの一例に相当する。
【００２２】
図３は、ＭＰＦファイル内の個別の画像について、パノラマ画像を生成する処理を行った場合のディスプレイ１１０の表示例を示す図である。図３（ａ）は、図２（ｃ）に相当する表示例であり、ＣＰＵ１０１が表示制御部１０４を制御してディスプレイ１１０にパノラマ画像の全景が収まるように表示した例である。
【００２３】
図３（ｂ）は、ＣＰＵ１０１がパノラマ画像を拡大し、表示制御部１０４を制御してパノラマ画像の短辺がディスプレイ１１０の表示範囲の全域に配置されるように表示した例である。図３（ｃ）及び図３（ｄ）は、ＣＰＵ１０１がＭＰＦファイル内の各画像を一つずつディスプレイ１１０に表示するように表示制御部１０４を制御した場合の表示例である。
【００２４】
図４は、ＭＰＦファイル内に連写撮影した画像が保存されている場合のディスプレイ１１０の表示例を示す図である。図４（ａ）は、図２（ｃ）に相当する表示例である。図４（ａ）では、ＣＰＵ１０１は、表示制御部１０４を制御してディスプレイ１１０に連写画像の先頭画像を表示するとともに、表示画像がＭＰＦファイル内の連写画像であることを、画像を重ねて表示することでユーザに通知する。
【００２５】
図４（ｂ）及び図４（ｃ）は、ＣＰＵ１０１がＭＰＦファイル内の各画像を一つずつディスプレイ１１０に表示するように表示制御部１０４を制御した表示例である。図４（ｄ）は、ＣＰＵ１０１が図４（ｃ）で表示した一つの画像について拡大処理してディスプレイ１１０に表示するとともに、どの部分を拡大しているかを通知するための画像を重畳表示するように表示制御部１０４を制御した場合の表示例である。
【００２６】
図５は、デジタルカメラ１００におけるディスプレイ１１０の表示制御例を示すフローチャート図である。図５に示す処理は、ＣＰＵ１０１が内部記憶装置１０２に格納されたプログラムをメモリ１０３に展開して実行することにより実現される。
【００２７】
図５において、ステップＳ２０１では、ＣＰＵ１０１は、入力部１０５からの表示レイアウト変更指示を受け付けると、ステップＳ２０２に進む。
【００２８】
ステップＳ２０２では、ＣＰＵ１０１は、ステップＳ２０１でのレイアウト変更指示が拡大表示か縮小表示かを判定する。そして、ＣＰＵ１０１は、縮小表示の場合、ステップＳ２０３に進み、拡大表示の場合、ステップＳ２０４に進む。
【００２９】
ステップＳ２０３では、ＣＰＵ１０１は、表示レイアウトの縮小処理を行い、表示制御部１０４を制御することで、ディスプレイ１１０の表示画面を更新し、処理を終了する。
【００３０】
なお、表示レイアウトの縮小処理は、表示画面に一枚の画像を表示している場合は、複数の画像の表示へ、一枚の画像を拡大表示している場合は、一段階縮小した画像へ、複数の画像を表示している場合は、より多数の画像の表示へと表示画面を切替えることをいう。また、ＣＰＵ１０１は、一画面中に最大数の画像が表示されている場合は、何の処理を行わず、処理を終了する。
【００３１】
ステップＳ２０４では、ＣＰＵ１０１は、ディスプレイ１１０に現在表示している画像が一画面に一枚の画像を表示するモード（一画面再生モード）か否かを判定する。そして、ＣＰＵ１０１は、一画面再生モードでない場合は、ステップＳ２０５に進み、一画面再生モードである場合は、ステップＳ２０６に進む。
【００３２】
ステップＳ２０６では、ＣＰＵ１０１は、ディスプレイ１１０に現在表示している画像がＭＰＦファイル内の画像であるかを判定する。そして、ＣＰＵ１０１は、ＭＰＦファイル内の画像である場合は、ステップＳ２０７に進み、ＭＰＦファイル以外の画像、例えばＪＰＥＧ形式等の通常の画像ファイルである場合は、ステップＳ２０５に進む。
【００３３】
ステップＳ２０５では、複数画像の表示モード、又は一画面再生モードであってもＭＰＦファイル内の画像でない場合であり、ＣＰＵ１０１は、表示レイアウトの拡大処理を行う。そして、ＣＰＵ１０１は、表示制御部１０４を制御して、ディスプレイ１１０の表示画面を更新し、処理を終了する。
【００３４】
表示レイアウトの拡大処理は、ディスプレイ１１０の表示画面に一枚の画像を表示している場合は、表示画像の一部を切り出して拡大表示を行い、複数の画像を表示している場合は、より少数の画像の表示へと切り替える切り替え処理をいう。
【００３５】
ステップＳ２０７では、ＣＰＵ１０１は、再生モードをＭＰＦ再生モードの表示形式へ切り替え、ＭＰＦファイルに保存された画像の再生処理を実行して、処理を終了する。ＭＰＦ再生モードは、ＭＰＦファイルに保存されたパノラマ画像、高ダイナミックレンジ画像、或いは連写撮影した画像等を画像の種別に応じて異なる再生処理を実行するモードであり、図６乃至図９を用いて詳述する。
【００３６】
図６は、図５のステップＳ２０７のＭＰＦ再生モードがパノラマ表示モードである場合の動作例を示すフローチャート図である。パノラマ表示モードにおいては、図７（ａ）乃至図７（ｄ）の４つの画像から一つのパノラマ画像を形成した場合に、図３に示す表示制御を実現する。
【００３７】
図６において、ステップＳ３０１では、ＣＰＵ１０１は、図３（ａ）に示すように、パノラマ画像の全景がディスプレイ１１０の一つの画面に表示されている状態で入力部１０５から拡大表示指示を受け付けると、パノラマ表示を開始し、ステップＳ３０２に進む。ここでのパノラマ表示において、ＣＰＵ１０１は、図３（ｂ）に示すように、画像の縦方向をディスプレイ１１０の高さと合うように拡大し、入力部１０５からの画像送り指示によって表示範囲を左右に移動させる。
【００３８】
ステップＳ３０２では、ＣＰＵ１０１は、入力部１０５からの表示レイアウト変更指示を受け付けると、ステップＳ３０３に進む。
【００３９】
ステップＳ３０３では、ＣＰＵ１０１は、ステップＳ３０２での表示レイアウト変更指示が拡大表示か縮小表示かを判定する。そして、ＣＰＵ１０１は、縮小表示の場合、ステップＳ３０４に進み、拡大表示の場合は、ステップＳ３０５に進む。
【００４０】
ステップＳ３０４では、ＣＰＵ１０１は、通常の再生モードへと移行し、処理を終了する。
【００４１】
ステップＳ３０５では、ＣＰＵ１０１は、ＭＰＦファイルを構成する各画像を個別に表示するモードへ表示形式を切り替え、ステップＳ３０６に進む。このとき、ディスプレイ１１０に表示する画像は、パノラマ表示モード時にディスプレイ１１０に表示されていた部分の領域を最も多く含む画像が初期画面に自動的に選択される。
【００４２】
図３の例では、図３（ｂ）において表示されている部分の領域を最も多く含む画像は、図７（ｂ）であるため、ＭＰＦファイルを構成する各画像を個別に表示するモードへと移行後、最初にディスプレイ１１０に表示される画像は、図３（ｃ）となる。
【００４３】
個別に画像を表示するモードでは、ＣＰＵ１０１は、入力部１０５での画像送り指示によりＭＰＦファイル内の隣接する画像へと表示を切り替え、パノラマ画像の端部に位置する画像を表示している場合は、その画像の外側方向への送り指示を受け付けない。
【００４４】
ステップＳ３０６では、ＣＰＵ１０１は、再度表示レイアウト変更指示を受け付けると、ステップＳ３０７に進む。
【００４５】
ステップＳ３０７では、ＣＰＵ１０１は、ステップＳ３０６でのレイアウト変更指示が拡大表示か縮小表示かを判定する。そして、ＣＰＵ１０１は、拡大表示の場合は、ステップＳ３０８に進み、縮小表示の場合は、ステップＳ３０９に進む。
【００４６】
ステップＳ３０８では、ＣＰＵ１０１は、現在ディスプレイ１１０に表示している画像の拡大表示を行い、表示画面を更新して、ステップＳ３０６に戻る。
【００４７】
ステップＳ３０９では、ＣＰＵ１０１は、現在ディスプレイ１１０に表示している画像拡大処理を行っているか否かを判定する。そして、ＣＰＵ１０１は、拡大処理を行っていない場合、ステップＳ３０１に戻ってパノラマ表示モードに移行し、拡大処理を行っている場合は、ステップＳ３１０に進む。
【００４８】
ステップＳ３１０では、ＣＰＵ１０１は、現在ディスプレイ１１０に表示している画像を一段階縮小表示させ、ステップＳ３０６に戻って個別画像表示モードを継続する。
【００４９】
図８は、図５のステップＳ２０７のＭＰＦ再生モードが連写画像表示モードである場合の動作例を示すフローチャート図である。連写画像表示モードにおいては、図９（ａ）乃至図９（ｅ）に示すように、連写撮影により得られた５つの画像を一つのＭＰＦファイル内に保存している場合に、図４に示す表示制御を実現する。
【００５０】
図８において、ステップＳ４０１では、ＣＰＵ１０１は、図４（ａ）に示すように、ＭＰＦファイル内に保存された５つの画像がディスプレイ１１０に重ねて表示されている状態で入力部１０５から拡大表示指示を受け付けると、ＭＰＦ個別再生モードへ移行する。そして、ＣＰＵ１０１は、重ねて表示していた画像のうち、先頭の画像をディスプレイ１１０に表示し（図４（ｂ））、ステップＳ４０２に進む。
【００５１】
連写画像は、上述したパノラマ画像と異なり、複数の画像を合成して単一の画像を生成して表示する必要がないため、直接個別画像表示モードの表示形式へ移行する。ここで、入力部１０５より画像送り指示を受け付けると、ＣＰＵ１０１は、表示する画像をＭＰＦファイル内の隣接する画像へ変更し、ディスプレイ１１０の画面表示を更新する（図４（ｃ））。この画像送り処理は、ＭＰＦファイル内の終端の画像（図９（ｅ））まですることができ、図９（ｅ）の画像をディスプレイ１１０に表示している状態での画像送り処理は、無効となる。
【００５２】
ステップＳ４０２では、ＣＰＵ１０１は、表示レイアウトの変更指示を受け付けると、ステップＳ４０３に進む。
【００５３】
ステップＳ４０３では、ＣＰＵ１０１は、ステップＳ４０２でのレイアウト変更指示が拡大表示か縮小表示かを判定する。そして、ＣＰＵ１０１は、拡大表示の場合は、ステップＳ４０４に進み、縮小表示の場合は、ステップＳ４０５に進む。
【００５４】
ステップＳ４０４では、ＣＰＵ１０１は、ディスプレイ１１０に現在表示している画像（図４（ｃ））の拡大処理を行い、図４（ｄ）に示す画面表示に変更して、ステップＳ４０２に戻る。
【００５５】
ステップＳ４０５では、ＣＰＵ１０１は、ディスプレイ１１０に現在表示している画像が拡大表示処理が行われている画像かを判定する。そして、ＣＰＵ１０１は、拡大表示処理を行っている画像の場合は、ステップＳ４０６に進み、拡大表示処理を行っていない画像の場合は、ステップＳ４０７に進む。
【００５６】
ステップＳ４０６では、ＣＰＵ１０１は、拡大表示処理を行っている画像に対して一段階縮小処理を行い、ステップＳ４０２に戻る。
【００５７】
ステップＳ４０７では、ＣＰＵ１０１は、通常再生モードへ移行し、図４（ａ）に示す画像をディスプレイ１１０に表示して、処理を終了する。
【００５８】
以上説明したように、本実施形態では、通常の画像の再生に用いる拡大／縮小の操作でＭＰＦファイル内の個別の画像の種別に応じた拡大／縮小の操作を行うユーザインタフェイスを提供することできるので、操作性を向上させることができる。
【００５９】
また、本実施形態では、ＭＰＦ再生モードに移行する際に、ＭＰＦファイル内に保存された個別の画像の種別ごとに異なる表示モードへと移行する。そして、ＭＰＦファイルと通常の画像ファイルとが混在した環境においてＭＰＦファイル内の複数の画像を表示する際には、ＭＰＦファイル内の複数の画像を展開せずに閲覧することができる。また、ＭＰＦファイル内の複数の画像の詳細を確認したい場合には、拡大操作により容易に確認することができる。
【００６０】
なお、本発明は、上記実施形態に例示したものに限定されるものではなく、本発明の要旨を逸脱しない範囲において適宜変更可能である。
【００６１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。ネットワーク又は各種記憶媒体を介して取得したソフトウェア（プログラム）をパーソナルコンピュータ（ＣＰＵ，プロセッサ）にて実行することでも実現できる。
【符号の説明】
【００６２】
１００  デジタルカメラ
１０１  ＣＰＵ
１０２  内部記憶装置
１０３  メモリ
１０４  表示制御部
１０５  入力部
１１０  ディスプレイ
【図１】
2015089066.tif 000003
【図２】
2015089066.tif 000004
【図３】
2015089066.tif 000005
【図４】
2015089066.tif 000006
【図５】
2015089066.tif 000007
【図６】
2015089066.tif 000008
【図７】
2015089066.tif 000009
【図８】
2015089066.tif 000010
【図９】
2015089066.tif 000011